(57)【要約】【課題】  毛髪にパーマネントをかける際に使用する液剤が、顔面や頸部などに垂れるのを防止するための、頭部に巻くタオルを、ヘア・スタイルのデザイン性を損なうことなく、かつ、確実に保持することができる液垂れ防止用タオルの保持具を実現する。【解決手段】  液垂れ防止用のタオルを保持するタオル保持部材１０を、弾性を有する細い丸棒材を用いて略Ｕ字状に形成する。タオル保持部材１０の両端を円環１３ａ，１３ｂに形成する。端部に略Ｊ字状のフック１６を有する、引っ張りに作用するコイル・スプリング１４を、リング１５を介して一方の円環１３ａに連結する。タオル保持部材１０における頸部当接部１１から各側頭部当接部１２ａ，１２ｂに連なる部位に、各巻線ばね１７ａ，１７ｂの一端を固着し、他端をパーマの被施術者の両肩に掛ける肩掛部１８ａ，１８ｂの端部に固着する。【選択図】        図１
2006055618.tif 000002
【特許請求の範囲】
【請求項１】
略Ｕ字状に形成された弾性を有する長尺材であって、その両端部を連結する引っ張りに作用する弾性体（１４）を用いた、パーマネントの被施術者の前頭部側に当接する連結手段（１５，１６）を具備した、液垂れを防止するタオル（１０１）を保持するためのタオル保持手段（１０）と、
圧縮に作用する弾性体（１７ａ，１７ｂ）を介して前記タオル保持手段を支持する、前記パーマネントの被施術者の肩に掛けるための肩掛手段（１８ａ，１８ｂ）と
を含む液垂れ防止用タオルの保持具。
【請求項２】
略Ｕ字状に形成された弾性を有する長尺材であって、その両端部を連結する、パーマネントの被施術者の前頭部側に当接する連結手段（２３，２４）を具備した、液垂れを防止するタオル（１０１）を保持するためのタオル保持手段（２０）と、
前記タオル保持手段を支持する、前記パーマネントの被施術者の肩に掛けるための肩掛手段（１８ａ，１８ｂ）と
を含む液垂れ防止用タオルの保持具。
【請求項３】
略Ｕ字状に形成された弾性を有する長尺材であって、その両端部を連結する引っ張りに作用する弾性体（３３）を用いた、パーマネントの被施術者の頸部側に当接する連結手段（３４，３５）を具備した、液垂れを防止するタオル（１０１）を保持するためのタオル保持手段（３０）と、
前記タオル保持手段を支持する、前記パーマネントの被施術者の肩に掛けるための肩掛手段（３８ａ，３８ｂ）と
を含む液垂れ防止用タオルの保持具。
【請求項４】
液垂れを防止するタオル（１０１）を保持するための、楕円状に形成された弾性を有する長尺材からなるタオル保持手段（４０）と、
前記タオル保持手段を支持する、パーマネントの被施術者の肩に掛けるための肩掛手段（３８ａ，３８ｂ）と
を含む液垂れ防止用タオルの保持具。
【請求項５】
液垂れを防止するタオル（１０１）を保持するための、弾性を有する２つの紐状体（５１ａ，５１ｂ）と、
前記２つの紐状体の両端部を支持するための、枠状および略Ｕ字状のうちの一方に形成された長尺材からなる支持部材（５０，６０）と、
前記支持部材を支持する、パーマネントの被施術者の肩に掛けるための肩掛手段（３８ａ，３８ｂ）と
を含む液垂れ防止用タオルの保持具。
【請求項６】
前記２つの紐状体のうちの前記パーマネントの被施術者の頸部側に当接する紐状体（５１ｂ）の一端が、前記支持部材より取り外し自在である請求項５記載の液垂れ防止用タオルの保持具。
【請求項７】
前記２つの紐状体間の間隔（Ｓ）が調整可能である請求項５または６記載の液垂れ防止用タオルの保持具。
【請求項８】
前記肩掛手段が前記支持部材と一体に成形されるとともに圧縮に作用する巻線ばねに形成されたものである請求項５、６または７記載の液垂れ防止用タオルの保持具。
【発明の詳細な説明】
【技術分野】
【０００１】
本発明は液垂れ防止用タオルの保持具に関する。具体的には、毛髪にパーマネントをかける際に使用する液剤が、顔面や頸部あるいは衣服に垂れるのを防止するための、毛髪の生えぎわに沿って巻くタオルを、ヘア・スタイルのデザイン性を損なうことなく、かつ、確実に保持することができる液垂れ防止用タオルの保持具を提供せんとするものである。
【背景技術】
【０００２】
毛髪にパーマネント（以下「パーマ」と略す。）をかける場合は、まず、１液と呼ばれる、毛髪のシスチン（アミノ酸）結合を切断してウェーブをかけ易くするための還元剤の薬液を、洗髪剤を用いて洗った毛髪に塗布する。その後、２液と呼ばれる、１液により切断されたシスチン結合をつなぎ合わせてウェーブを固化させるための酸化剤の薬液を、巻いたり止めねじったりした毛髪に塗布する。
【０００３】
その場合、塗布した液剤が、パーマの施術中に、被施術者の顔面、頸部あるいは衣服に垂れることがある。そこで、パーマの施術中は、液剤が垂れるのを防止するために、図１９（ａ）に示すように、幅方向において４つ折りにしたタオル１０１を、被施術者の毛髪の生えぎわに沿って巻く。そして、前頭部の部位においてタオル１０１の両端部を交叉させたうえで、その交叉している部分に輪ゴム１０２を巻回する。
【０００４】
しかし、タオル１０１の両端部が交叉している部分に輪ゴム１０２を巻回しただけでは、パーマの施術中、垂れた液剤を含んで重くなったタオル１０１は、ゆるんだりずり落ちてしまったりする。そこで、図１９（ｂ）に示すように、輪ゴム１０２よりは太くかつサイズが大きいゴム環１０３を、タオル１０１の両端部が交叉している部分よりも若干下方の部位から被施術者の後頭部にかけて巻くことにより、タオル１０１がゆるんだりずり落ちないように保持している。なお、ここにおけるタオル１０１は、パーマ用の液剤の垂れだけでなく、例えば、パーマをかけた後に塗布する毛根トリートメント液の垂れを防止するためにも用いられる。
【非特許文献１】「ヘアデザイナーのためのスーパーお助けＢＯＯＫ」月刊ニューヘア  １９９８年
【発明の開示】
【発明が解決しようとする課題】
【０００５】
しかしながら、図１９（ｂ）に示した方法により液垂れ防止用のタオル１０１を保持すると、つぎのような解決すべき課題がある。すなわち、毛髪にパーマをかける場合、毛髪を巻き付ける円筒状のロッドを用いないピン・パーマと呼ばれる方法がある。このピン・パーマは、図２０（ａ）に示すように、毛髪を小分けした毛束Ｈに、ウェーブを固化させる２液を塗布した後、毛束Ｈを止めねじったうえで先端部をシングル・ピン１０４で挟だり、あるいは、図２０（ｂ）に示すように、２液を塗布した毛束Ｈを施術者の指に巻き、その指を引き抜いて形成されるループが維持されるように、毛束Ｈが重なった部分をシングル・ピン１０４で挟むものである。
【０００６】
このピン・パーマにより毛髪にパーマをかける場合に、図１９（ｂ）に示したように、ゴム環１０３を用いて液垂れ防止用のタオル１０１を保持すると、ゴム環１０３は、被施術者の側頭部から後頭部にわたって毛髪に当接しているため、伸長したゴム環１０３が、その収縮力によって２液を塗布した毛束Ｈにくい込んでしまう。
【０００７】
ウェーブを固化させるための２液を塗布した毛束Ｈにゴム環１０３がくい込めば、毛束Ｈにはゴム環１０３がくい込んだ跡が残ったり、図２０（ｂ）に示した毛束Ｈのループが歪んだりつぶれたりする結果、ヘア・スタイルのデザイン性が著しく損なわれてしまう。
【０００８】
のみならず、被施術者の毛髪の生えぎわに沿って巻かれたタオル１０１は、部分的にゴム環１０３によって保持されているに過ぎず、全体にわたって保持されているわけではない。とくに、被施術者の頸部を覆っているタオルの部分は、ゴム環１０３により保持されてはいないため、パーマの施術中、垂れた液剤を含んで重くなって、ゆるんだりずり落ちたりしてしまう。その結果、被施術者の頸部に液剤が垂れて被施術者に不快感を与えるだけでなく、その衣服にも垂れてしみを付けたり、酸化剤である２液の場合は脱色することさえあった。以上のような解決すべき課題が、図１９（ｂ）に示した、従来より行われている液垂れ防止用のタオル１０１を保持する方法にはあった。
【課題を解決するための手段】
【０００９】
そこで、上記課題を解決するために、本発明はなされたものである。そのために、本発明では、つぎのような手段を用いるようにした。すなわち、第１に、タオルを保持する手段として、略Ｕ字状に形成された弾性を有する長尺材を用いる。パーマの被施術者の前頭部側に当接する、引っ張りに作用する弾性体（例えば、コイル・スプリング）により、その長尺材の両端部を連結する。圧縮に作用する弾性体（例えば、巻線ばね）を介して、その長尺材を、パーマの被施術者の肩に掛ける肩掛部材と連結する。
【００１０】
第２に、タオルを保持する手段として、略Ｕ字状に形成された弾性を有する長尺材を用いる。その長尺材におけるパーマの被施術者の前頭部側に当接する両端部を連結する手段として、長尺材の両端部に連結手段（例えば、フックと円環）を形成する。その長尺材を、パーマの被施術者の肩に掛ける肩掛部材と、弾性を有する連結部材を介してまたは直接に連結する。
【００１１】
第３に、タオルを保持する手段として、略Ｕ字状に形成された弾性を有する長尺材を用いる。その長尺材におけるパーマの被施術者の頸部側に当接する両端部を連結する手段として、引っ張りに作用する弾性体を用いる。その長尺材を、パーマの被施術者の肩に掛ける肩掛部材と連結する。
【００１２】
第４に、タオルを保持する手段として、楕円状に形成された弾性を有する長尺材を用いる。その長尺材を、パーマの被施術者の肩に掛ける肩掛部材と連結する。
【００１３】
第５に、タオルを保持手段として、弾性を有する２つの紐状体（例えば、ゴム紐）を用いる。この２つの紐状体の両端を、枠状または略Ｕ字状に形成された長尺材からなる支持部材により支持する。この支持部材を、パーマの被施術者の肩に掛ける肩掛手段と連結する。以上のような手段を用いるようにした。
【発明の効果】
【００１４】
本発明によるならば、液垂れ防止用のタオルを保持する長尺材や紐状体は、パーマの被施術者の毛髪に当接することなく、毛髪の生えぎわに沿って巻かれたタオルに当接して、これを保持するので、ウェーブを固化させる２液を塗布した毛束にくい込んで押圧することがない。したがって、従来例におけるように、２液を塗布した毛束にゴム環がくい込んだ跡が残ったり、毛束のループが歪んだりつぶれたりすることがなく、ヘア・スタイルのデザイン性が損なわれることがまったくない。
【００１５】
また、タオルを保持する長尺材や紐状体は、タオル全体にわたって当接し、あるいは、被施術者の前頭部および頸部の部位においてタオルに当接して、これを保持することから、従来例におけるように、液剤を含んで重くなった、被施術者の頸部を覆うタオルの部分が、ゆるんだりずり落ちたりすることがない。すなわち、被施術者の頸部に液剤が垂れて被施術者に不快感を与えたり、あるいは、被施術者の衣服にしみを付けたり脱色したりするということもない。したがって、本発明によりもたらされる効果は、実用上極めて大きい。
【発明を実施するための最良の形態】
【００１６】
本発明を実施するための１つの形態（第１の実施の形態）を、図１および図２に示し説明する。ここで、図１は、本実施の形態における液垂れ防止用タオルの保持具の構成を示す正面図、図２は側面図である。
【００１７】
図１において、１０は、液垂れ防止用のタオルを保持するための、細い丸棒材を用いて略Ｕ字状に形成されたタオル保持部材である。ここにおけるタオル保持部材１０には、例えばステンレス鋼やポリプロピレン樹脂のように弾性を有するとともに、ヘア・ドライヤーからの高温の熱風に耐え得るよう耐熱性を有する素材を用いるのが好ましい。
【００１８】
このタオル保持部材１０は、被施術者の毛髪の生えぎわに沿って巻かれたタオルを介して頸部に当接する頸部当接部１１と、側頭部に当接する側頭部当接部１２ａ，１２ｂとからなっている。後者の側頭部当接部１２ａ，１２ｂは、図２に示すように、被施術者の後頭部側（図面上で左側）に向けて若干湾曲している。
【００１９】
図１において、各側頭部当接部１２ａ，１２ｂの先端は、それぞれ円環１３ａ，１３ｂに形成されており、一方の円環１３ａには、端部に略Ｊ字状のフック１６を有する、引っ張りに作用するコイル・スプリング１４が、リング１５を介して連結されている。
【００２０】
他方、頸部当接部１１から各側頭部当接部１２ａ，１２ｂにそれぞれ連なる部位には、各巻線ばね１７ａ，１７ｂの一端が固着され、他端は、図２に示すように、被施術者の両肩に掛けられる肩掛部１８ａ，１８ｂの端部に固着されている。この肩掛部１８ａ，１８ｂは、タオル保持部材１０よりは太い丸棒材からなり、本実施の形態においては、Ｊ字状に形成されている。
【００２１】
つぎに、以上のように構成された液垂れ防止用タオルの保持具の使用方法について説明する。
【００２２】
まず、図１９（ａ）に示したように、幅方向において４つ折りにしたタオルを、被施術者の毛髪の生えぎわに沿って巻いたうえで、前頭部の部位でタオルの両端部を交叉させ、交叉している部分に輪ゴムを巻回する。
【００２３】
そこで、被施術者の両肩の上に、巻線ばね１７ａ，１７ｂを介してタオル保持部材１０を支持する各肩掛部１８ａ，１８ｂを掛ける。ついで、図３（ａ）に示すように、タオル保持部材１０の各円環１３ａ，１３ｂが、被施術者の前頭部の部位に位置するように、被施術者の前頭部側に向けてタオル保持部材１０を押圧してタオル１０１に当接させ、かつ、コイル・スプリング１４をタオル１０１両端部の交叉部分の若干下方に当接させて、コイル・スプリング１４端部のフック１６をタオル保持部材１０先端の円環１３ｂに係止させる。
【００２４】
コイル・スプリング１４端部のフック１６が、タオル保持部材１０先端の円環１３ｂに係止されれば、被施術者の毛髪の生えぎわに沿って巻かれたタオル１０１は、これに当接するタオル保持部材１０およびコイル・スプリング１４により保持されることになる。タオル保持部材１０やコイル・スプリング１４は、タオル１０１のみに当接し、毛髪にはまったく当接しないので、ウェーブを固化させる２液を塗布した毛束Ｈ（図２０）にくい込み、これを押圧することがない。すなわち、従来例におけるように、２液を塗布した毛束Ｈに、ゴム環１０３（図１９（ｂ））がくい込んだ跡が残ったり、毛束Ｈのループが歪んだりつぶれたりすることがない。したがって、ヘア・スタイルのデザイン性が損なわれることがない。
【００２５】
しかも、タオル１０１は、部分的にではなく全体にわたってタオル保持部材１０およびコイル・スプリング１４により保持される。従来例におけるように、液剤を含んで重くなった、頸部を覆うタオル１０１の部分が、ゆるんだりずり落ちたりすることがない。その結果、被施術者の頸部にパーマ液が垂れて被施術者に不快感を与えたり、その衣服にしみを付けたり脱色したりすることがない。
【００２６】
なお、タオル保持部材１０は、各巻線ばね１７ａ，１７ｂ（図１）を介して各肩掛部１８ａ，１８ｂと連結している。したがって、被施術者の前頭部や両側頭部を覆うタオル１０１の部分が、液剤を含んで重くなっても、各巻線ばね１７ａ，１７ｂのばね力（荷重に対する反発力）により、重くなったタオル１０１を充分に支えることができる。
【００２７】
また、図３（ｂ）に示すように、被施術者の頭部の傾斜角が変化しても、各巻線ばね１７ａ，１７ｂが有する弾性により、タオル保持部材１０は頭部の傾斜角の変化に追従し、被施術者が仰向けになったとしても、タオル１０１の保持状態は維持される。
【００２８】
図４は、本発明の第２の実施の形態を示す正面図であり、図１における構成要素と同一の構成要素については同じ符号を付して説明する。
【００２９】
図４において、図１に示した第１の実施の形態と異なるところを説明する。本実施の形態においては、第１に、各側頭部当接部２２ａ，２２ｂが、図１に示した各側頭部当接部１２ａ，１２ｂよりも長く、かつ、相互に近接するようにより湾曲している。第２に、コイル・スプリング１４は配設せずに、一方の側頭部当接部２２ａの先端が、略Ｊ字状のフック２３に形成され、他方の側頭部当接部２２ｂの先端は、図１に示した側頭部当接部１２ｂと同じく円環２４に形成されている。第３に、タオル保持部材２０は、巻線ばね１７ａ，１７ｂではなく、弾性を有する細い丸棒材の連結部材２５ａ，２５ｂを介して各肩掛部１８ａ，１８ｂと連結している。その他の構成は、図１に示した第１の実施の形態と同じである。
【００３０】
このように構成された液垂れ防止用タオルの保持具の使用方法は、図１に示した第１の実施の形態について図３（ａ）により説明したところと基本的には同じであるが、各側頭部当接部２２ａ，２２ｂを連結する方法は異なっている。すなわち、一方の側頭部当接部２２ａ先端のフック２３を、他方の側頭部当接部２２ｂ先端の円環２４に係止することにより、各側頭部当接部２２ａ，２２ｂを連結する。
【００３１】
なお、本実施の形態においては、タオル保持部材２０は、巻線ばね１７ａ、１７ｂではなく丸棒材である連結部材２５ａ，２５ｂを介して各肩掛部１８ａ，１８ｂと連結している。しかし、タオル保持部材２０および各連結部材２５ａ，２５ｂは、それぞれ弾性を有する素材からなっているので、その使用に際して、被施術者の前頭部側に向けてタオル保持部材２０を押圧して、その先端のフック２３および円環２４を、前頭部の部位に位置するようにさせることは可能である。
【００３２】
したがって、本実施の形態における液垂れ防止用タオルの保持具も、図１に示した第１の実施の形態と同様の効果を得ることができる。しかも、図１に示した実施の形態よりも部品点数が少なく構成が簡易であることから、より安価に製造することができる利点もある。
【００３３】
なお、図４では、丸棒材の連結部材２５ａ，２５ｂを介してタオル保持部２０と各肩掛部１８ａ，１８ｂとを連結する構成を示した。しかし、連結部材２５ａ，２５ｂの代わりに、図１に示した第１の実施の形態におけると同様に、巻線ばね１７ａ，１７ｂを介してタオル保持部２０と各肩掛部１８ａ，１８ｂとを連結するようにしてもよい。さらには、連結部材２５ａ，２５ｂは配設せずに、タオル保持部２０と各肩掛部１８ａ，１８ｂとを直接連結する構成としてもよい。
【００３４】
他方、図１に示した第１の実施の形態においても、巻線ばね１７ａ，１７ｂの代わりに、弾性を有する連結部材２５ａ，２５ｂを介してタオル保持部１０と各肩掛部１８ａ，１８ｂとを連結し、あるいは、タオル保持部１０と各肩掛部１８ａ，１８ｂとを直接連結するようにしてもよい。
【００３５】
また、図１に示した第１の実施の形態においては、タオル保持部材１０が細い丸棒材からなる場合を例に挙げて説明した。しかし、本発明は、これに限定されるものではない。タオル保持部材１０が長尺材からなる場合に、本発明は適用され得るものである。したがって、例えば狭幅の板状材からなる場合、あるいは、側頭部当接部１２ａ，１２ｂが丸棒材からなり、頸部当接部１１が狭幅の板状材からなる場合にも、本発明は適用することができるものである。
【００３６】
さらに、図１に示した第１の実施の形態においては、各側頭部当接部１２ａ，１２ｂを連結する手段として、コイル・スプリング１４を用いる場合について説明した。しかし、本発明は、これに限られるものではなく、例えばゴム・バンドなどの引っ張りに作用する弾性体を用いる場合にも、本発明は適用し得るものである。
【００３７】
同じく図１に示した第１の実施の形態においては、タオル保持部材１０と各肩掛部１８ａ，１８ｂとを連結する手段として、巻線ばね１７ａ，１７ｂを用いる場合について説明したが、例えば板ばねなどの圧縮に作用する弾性体を使用する場合にも、本発明は適用できるものである。
【００３８】
また、図１におよび図４にそれぞれ示した第１，２の実施の形態においては、肩掛部１８ａ，１８ｂが丸棒材を用いてＪ字状の形状に形成する場合を例として説明した。しかし、本発明は、これに限定されない。例えば、狭幅の板状材を用い直線状に形成する場合にも、本発明は適用され得るものである。
【００３９】
図５および図６は、本発明の第３の実施の形態を示しており、図５は、本実施の形態における液垂れ防止用タオルの構成を示す背面図、図６は側面図である。
【００４０】
図５において、本実施の形態におけるタオル保持部材３０も、略Ｕ字状に形成されている。しかし、図１および図４にそれぞれ示した第１，２の実施の形態とは異なり、パーマの被施術者の頸部に当接する側に切れ目があって離間しており、その先端に、それぞれ円環３２ａ，３２ｂが形成されている。また、被施術者の前頭部に当接する部分には、円弧状の湾出部３１が形成されている。このような構成のタオル保持部材３０は、図６に示すように、被施術者の毛髪の生えぎわに沿うように若干湾曲している。
【００４１】
図５において、一方の円環３２ａには、端部にＪ字状のフック３５を有する、引っ張りに作用するコイル・スプリング３４が、リング３４を介して連結されている（コイル・スプリング３４に代えてゴム・バンドなどを用いてもよい）。また、タオル保持部材３０における各円環３２ａ，３２ｂに近い部位には、連結具３６ａ，３６ｂがそれぞれ固定されており、これに丸棒材を用いた肩掛部３８ａ，３８ｂが取り付けられている。
【００４２】
これらの肩掛部３８ａ，３８ｂは、図６に示すように、円弧状に形成されている。そして、下端部が円環に形成され、上端部が連結具３６ｂに設けられた孔部に挿通したうえで、止めねじ３７ｂにより固定されている。すなわち、各肩掛部３８ａ，３８ｂは、それらが下方に突き出す長さが調整できるようになっている。これは、被施術者の頸部の長さに対応可能とするものであり、各肩掛部３８ａ，３８ｂが下方に突き出す長さを調整可能な構成とはせずに、各連結具３６ａ，３６ｂを移動可能な構成としてもよい。
【００４３】
つぎに、以上のように構成された本実施の形態における液垂れ防止用タオルの保持具の使用方法について、図７により説明する。
【００４４】
まず、図７（ａ）に示すように、輪ゴム１０２を巻回した、タオル１０１が交叉している部分の若干下方の部位に、タオル保持部材３０の湾出部３１を引っ掛けたうえで、手前側（図面上で右側）にタオル保持部材３０を引っ張る。このとき、タオル１０１が交叉している部分は、タオル保持部材３０の湾出部３１により保持されている。すなわち、施術者は、タオル１０１が交叉している部分を手で押さえている必要がない。したがって、タオル保持部材３０の装着に両手を使うことができる。
【００４５】
この状態でタオル保持部材３０の手前側を下方に下げ、タオル保持部材３０全体をタオル１０１に当接させたうえで、コイル・スプリング３３（図５）端部のフック３５を、タオル保持部材３０の一方の円環３２ｂに係止する。これにより、図７（ｂ）に示すように、被施術者の毛髪の生えぎわに沿って巻かれたタオル１０１は、確実に保持されることになる。
【００４６】
なお、パーマをかける場合、被施術者の毛髪の生えぎわに沿って巻かれたタオル１０１からオーバーハングしている毛髪に塗布した液剤が垂れることがある。そのため、図７（ｃ）に示すように、毛髪の生えぎわに沿って巻くタオル１０１に重ねて、さらに補助のタオル１０１Ｂを使用することがある。その場合は、図示するように、タオル保持部材３０の湾出部３１の内側に、補助のタオル１０１Ｂの端部を挟み込むようにすれば、この補助のタオル１０１Ｂがずり落ちるのを防止することができる。
【００４７】
図８および図９は、本発明の第４の実施の形態を示している。ここで、図８は、本実施の形態における液垂れ防止用タオルの構成を示す背面図、図９は側面図であり、図５および図６における構成要素と同一の構成要素については同じ符号を付している。
【００４８】
図８において、図５に示した第３の実施の形態と異なるところを説明する。本実施の形態においては、タオル保持部材４０には切れ目がなく、パーマの被施術者の頭部の幅方向が長径となる楕円状に形成されている。このタオル保持部材４０の長径は、被施術者の頭部の幅よりは充分に大きいものとなっている。また、各肩掛部３８ａ，３８ｂが取り付けられる各連結具３６ａ，３６ｂは、タオル保持部材４０における被施術者の頸部に当接する部分に近い部位に固定されている。なお、タオル保持部材４０は、図９に示すように、図５に示した第３の実施の形態におけるタオル保持部材３０と同様に、被施術者の毛髪の生えぎわに沿うように若干湾曲している。その他の構成は、図５に示した第３の実施の形態と同じである。
【００４９】
このように構成された本実施の形態における液垂れ防止用タオルを使用する場合は、図１０（ａ）に示すように、タオル保持部材４０を矢印が示す方向にそれぞれ引っ張って、真円状にする。そのうえで、図７（ａ）により説明したところと同様に、輪ゴム１０２を巻回した、タオル１０１が交叉している部分の若干下方の部位に、タオル保持部材４０の湾出部４１を引っ掛ける。そして、タオル保持部材４０の施術者にとって手前側（図面上で下側）を下方に下げて、図１０（ｂ）に示すように、被施術者の毛髪の生えぎわに沿って巻かれているタオル１０１に当接させる。これにより、タオル１０１は、被施術者の前頭部および頸部の部位において、弾性による復元力を有するタオル保持部材４０によって押圧されて、確実に保持されることになる。
【００５０】
なお、本実施の形態では、タオル保持部材４０が、被施術者の頭部の幅方向が長径となる楕円状に形成されている場合について説明した。しかし、被施術者の頭部の前後方向が長径（幅方向が短径）となる楕円状に形成してもよい。その場合は、タオル１０１は、被施術者の両側頭部の部位において、タオル保持部材により押圧されて保持されることになる。本願発明者が行った実験によると、被施術者の前頭部および頸部の部位と、両側頭部の部位のうちの一方においてタオル１０１を押圧すれば、タオル１０１は確実に保持され得るとの結果を得ている。
【００５１】
以上説明した本発明の第３，第４の実施の形態においては、各肩掛部３８ａ，３８ｂが、各連結具３６ａ，３６ｂを介してタオル保持部材３０，４０に連結される場合について述べた。しかし、本発明は、これに限定されるものではない。各肩掛部３８ａ，３８ｂをタオル保持部材３０，４０に直接固定するようにしてもよく、さらには、タオル保持部材３０，４０と一体成型するようにしてもよい。また、各肩掛部３８ａ，３８ｂの形状も、図６および図９にそれぞれ示した円弧状のものに限定されるものではない。
【００５２】
また、各タオル保持部材３０，４０にそれぞれ湾出部３１，４１を形成する場合について説明した。しかし、湾出部３１，４１を形成することは、本発明にとっては構成上の必須要件ではなく、湾出部３１，４１を形成しない場合にも、本発明は適用され得るものである。
【００５３】
図１１および図１２は、本発明の第５の実施の形態を示している。ここで、図１１は、本実施の形態における液垂れ防止用タオルの構成を示す背面図、図１２は側面図であり、図８および図９における構成要素と同一の構成要素については同じ符号を付している。
【００５４】
図１１において、図８に示した第４の実施の形態と異なるところを説明する。本実施の形態においては、タオルを保持するための手段として、引っ張りに作用するゴム製の２本のタオル保持紐５１ａ，５１ｂが用いられている。これらのタオル保持紐５１ａ，５１ｂは、被施術者の頭部の幅方向（図面上で左右方向）に沿って平行となるように、その両端が、長尺材からなる枠状の支持部材５０に取り付けられている。各タオル保持紐５１ａ，５１ｂ間の間隔は、被施術者の頭部の前後方向の平均的な長さよりは狭いものとなっている。また、支持部材５０は、どの部分も被施術者の頭部に当接することなく、頭部が充分に余裕をもってくぐり抜けるサイズとなっている。
【００５５】
なお、この支持部材５０は、図１２に示すように、図８に示した第４の実施の形態におけるタオル保持部材４０と同様に、被施術者の毛髪の生えぎわに沿うように若干湾曲している。その他の構成は、図８に示した第４の実施の形態と同じである。
【００５６】
このような構成の本実施の形態における液垂れ防止用タオルを使用する場合は、図１３（ａ）に示すように、まず、輪ゴム１０２を巻回した、タオル１０１が交叉している部分の若干下方の部位に、支持部材５０に取り付けられた一方のタオル保持紐５１ａを引っ掛ける。そして、他方のタオル保持紐５１ｂを施術者にとって手前側（図面上で右側）に引っ張りながら下方に下げて、図１３（ｂ）に示すように、被施術者の毛髪の生えぎわに沿って巻かれているタオル１０１に当接させる。これにより、タオル１０１は、被施術者の前頭部および頸部の部位において、引っ張りに作用するゴム製のタオル保持紐５１ａ，５１ｂによって押圧されて、確実に保持されることになる。
【００５７】
このように、タオル１０１を保持する手段として、ゴム製のタオル保持紐５１ａ，５１ｂを用いるならば、被施術者の頭部への締め付け感を緩和することでき、また、被施術者の頭部の大きさが異なっても容易に対応することが可能となる。
【００５８】
このようなタオル１０１を保持するタオル保持紐５１ａ，５１ｂの素材としては、ゴムの他に、弾性を有する軟質プラスチックを用いてもよい。また、タオル１０１を保持するための手段として、引っ張りに作用するコイル・スプリングを用いるようにしてもよい。すなわち、タオル保持紐５１ａ，５１ｂは、弾性を有する紐状体であればよい。
【００５９】
図１４は、本発明の第６の実施の形態を示す背面図であり、図１１における構成要素と同一の構成要素については同じ符号を付して説明する。
【００６０】
図１４において、図１１に示した第５の実施の形態と異なるところは、第１に、各タオル保持紐５１ａ，５１ｂを支持する支持部材６０が、略Ｕ字状に形成され、その両端に円環６１ａ，６１ｂがそれぞれ形成されていることである。第２に、被施術者の頸部の部位においてタオル１０１を押圧するタオル保持紐５１ｂの一端にフック６２が連結され、このフック６２が円環６１ｂに係止することである。その他の構成は、図１１に示した第５の実施の形態と同じである。
【００６１】
このように構成された本実施の形態における液垂れ防止用タオルの使用方法は、図１１に示した第５の実施の形態と同様、まず、被施術者の前頭部側の、輪ゴム１０２を巻回したタオル１０１が交叉している部分の若干下方の部位に、一方のタオル保持紐５１ａを引っ掛ける。その後、他方のタオル保持紐５１ｂに連結されたフック６２を円環６１ｂに係止させずに、支持部材６０の円環６１ａ，６１ｂ側を下方に下げる。
【００６２】
そこで、被施術者の毛髪の生えぎわに沿って巻かれているタオル１０１に、タオル保持紐５１ｂを当接させつつ、これに連結されたフック６２を円環６１ｂに係止する。フック６２を円環６１ｂに係止すれば、被施術者の前頭部および頸部の部位において、タオル１０１は、タオル保持紐５１ａ，５１ｂによって押圧されて保持されることになる。
【００６３】
このように、被施術者の後頭部側が開口した略Ｕ字状に支持部材６０を形成するとともに、被施術者の頸部の部位においてタオル１０１を押圧するタオル保持紐５１ｂの一端を、支持部材６０より取り外し自在な構成とするならば、径の大きいロッドや長いサイズのロッドを使用してパーマをかける場合に、これらに接触しないようにしてタオル保持紐５１ｂをタオル１０１に当接させることができる。とくに、長いサイズのロッドを使用する場合は、毛髪を巻き付けたロッドが、タオル１０１からオーバーハングすることがある。その場合は、タオル保持紐５１ｂの一端を支持部材６０より取り外し、ロッドを手で持ち上げたうえで、タオル保持紐５１ｂをタオル１０１に当接させることができることから、本実施の形態のような構成とすることは有効である。
【００６４】
なお、このようなタオル保持紐５１ｂの一端が支持部材６０より取り外し自在の構成は、図１１に示した第５の実施の形態において用いてもよい。他方、図１４に示した第６の実施の形態において、図１１に示した第５の実施の形態と同様、タオル保持紐５１ｂの両端を支持部材６０に取り付けるようにしてもよい。
【００６５】
以上説明した本発明の第５，第６の実施の形態においては、各肩掛部３８ａ，３８ｂが、各連結具３６ａ，３６ｂを介して支持部材５０，６０に連結される場合について述べた。しかし、本発明は、これに限定されるものではなく、各肩掛部３８ａ，３８ｂを支持部材５０，６０に直接固定するようにしてもよい。さらには、支持部材５０，６０と一体成型するようにしてもよい。また、各肩掛部３８ａ，３８ｂの形状も、図１２に示した円弧状のものに限定されるものではない。
【００６６】
図１５は、本発明の第７の実施の形態を示す背面図であり、図１４における構成要素と同一の構成要素については同じ符号を付して説明する。
【００６７】
図１５において、図１４に示した第６の実施の形態と異なるところを説明する。本実施の形態においては、支持部材６０により平行に支持される２本のタオル保持紐５１ａ，５１ｂ間の間隔Ｓが、調整できるようになっている。具体的には、被施術者の前頭部の部位においてタオル１０１を押圧するタオル保持紐５１ａ両端の支持部材６０での支持位置を、変えられるようになっている。
【００６８】
すなわち、支持部材６０の上端部両側には、扁平な円筒状のストッパ７２ａ〜ｆが、それぞれ３個ずつ所定の間隔をおいて固着されている。他方、タオル保持紐５１ａの両端には、各ストッパ７２ａ〜ｆの外径よりは大きい内径の円環７１ａ，７１ｂが、それぞれ取り付けられており、この各円環７１ａ，７１ｂが、各ストッパ７２ａ〜ｆにより画された支持部材６０に係止するようになっている。各円環７１ａ，７１ｂの内径は、各ストッパ７２ａ〜ｆの外径よりは大きいので、各ストッパ７２ａ〜ｆにより画される支持部材６０への係止位置を変えることができる。その他の構成は、図１４に示した第６の実施の形態と同じである。
【００６９】
そこで、被施術者の頭部のサイズが大きい場合は、図１５に示されているように、それぞれ２個のストッパ７２ａ，７２ｂ，７２ｄ，７２ｅにより画される支持部材６０の部位に、タオル保持紐５１ａ両端の各円環７１ａ，７１ｂを係止する。これに対して、被施術者の頭部のサイズが小さい場合は、それぞれ２個のストッパ７２ｂ，７２ｃ，７２ｅ，７２ｆにより画される支持部材６０の部位に、各円環７１ａ，７１ｂを係止するようにする。
【００７０】
このように、本実施の形態では、２本のタオル保持紐５１ａ，５１ｂ間の間隔Ｓを調整できるようにしたので、とくに頭部のサイズが大きい被施術者には、タオル保持紐５１ａ，５１ｂによる頭部への締め付け感を緩和することができる効果が得られる。
【００７１】
なお、図１５では、支持部材６０の上端部両側に、それぞれ３個のストッパ７２ａ〜ｆを固着し、支持部材６０によるタオル保持紐５１ａの支持位置を２通りに変えられる例を示した。しかし、これに限られるものではなく、用いるストッパの数をより多くして、例えば３通りに変えられるようにしてもよい。
【００７２】
図１６および図１７は、本発明の第８の実施の形態を示している。ここで、図１６は、本実施の形態における液垂れ防止用タオルの構成を示す背面図、図１７は側面図であり、図１５における構成要素と同一の構成要素については同じ符号を付している。
【００７３】
図１６において、図１５に示した第７の実施の形態と異なるところは、第１に、各肩掛
部８３ａ，８３ｂが、支持部材８０と一体化していることである。第２に、被施術者の頸部の部位においてタオル１０１を押圧するタオル保持紐５１ｂの一端に取り付けられた円環８１が、支持部材８０に固着された扁平な円筒状の２個のストッパ８２ａ，８２ｂにより画される支持部材８０に係止され、タオル保持紐５２ｂの他端に取り付けられたフック６２が、支持部材８０に固着された他の２個のストッパ８２ｃ，８２ｄにより画される支持部材８０に係止されることである。その他の構成は、図１５に示した第７の実施の形態と同じである。
【００７４】
このような構成を用いるならば、図１５に示した第７の実施の形態よりは構成が簡易となり製造コストの低廉化が可能である。
【００７５】
なお、各肩掛部は、図１８（側面図）に示すように、圧縮に作用する巻線ばねを形成するように構成してもよい。このように肩掛部８４ｂを構成すれば、被施術者があごを上げたり引いたりしても、その動きに支持部材８０Ｂが追従することができ、また、タオル１０１が液剤を含んで重くなっても、これを押し上げるように肩掛部８４ｂが作用するので、タオル１０１のずり落ちを防ぐ効果が一層高められることになる。
【図面の簡単な説明】
【００７６】
【図１】本発明の第１の実施の形態を示す正面図である。
【図２】図１に示した本発明の第１の実施の形態の側面図である。
【図３】図１に示した液垂れ防止用タオルの保持具の使用方法を説明するための説明図である。
【図４】本発明の第２の実施の形態を示す正面図である。
【図５】本発明の第３の実施の形態を示す背面図である。
【図６】図５に示した本発明の第３の実施の形態の側面図である。
【図７】図５に示した液垂れ防止用タオルの保持具の使用方法を説明するための説明図である。
【図８】本発明の第４の実施の形態を示す背面図である。
【図９】図８に示した本発明の第４の実施の形態の側面図である。
【図１０】図８に示した液垂れ防止用タオルの保持具の使用方法を説明するための説明図である。
【図１１】本発明の第５の実施の形態を示す背面図である。
【図１２】図８に示した本発明の第５の実施の形態の側面図である。
【図１３】図１１に示した液垂れ防止用タオルの保持具の使用方法を説明するための説明図である。
【図１４】本発明の第６の実施の形態を示す背面図である。
【図１５】本発明の第７の実施の形態を示す背面図である。
【図１６】本発明の第８の実施の形態を示す背面図である。
【図１７】図１６に示した本発明の第８の実施の形態の側面図である。
【図１８】図１７に示した肩掛部の他の構成例を示す側面図である。
【図１９】従来の液垂れ防止用タオルの保持方法を説明するための説明図である。
【図２０】ピン・パーマの施術方法を説明するための説明図である。
【符号の説明】
【００７７】
１０  タオル保持部材
１１  頸部当接部
１２ａ，１２ｂ  側頭部当接部
１３ａ，１３ｂ  円環
１４  コイル・スプリング
１５  リング
１６  フック
１７ａ，１７ｂ  巻線ばね
１８ａ，１８ｂ  肩掛部
２０  タオル保持部材
２１  頸部当接部
２２ａ，２２ｂ  側頭部当接部
２３  フック
２４  円環
２５ａ，２５ｂ  連結部材
３０  タオル保持部材
３１  湾出部
３２ａ，３２ｂ  円環
３３  コイル・スプリング
３４  リング
３５  フック
３６ａ，３６ｂ  連結具
３７ａ  止めねじ
３８ａ、３８ｂ  肩掛部
４０  タオル保持部材
４１  湾出部
５０  支持部材
５１ａ，５１ｂ  タオル保持紐
６０  支持部材
６１ａ，６１ｂ  円環
６２  フック
７１ａ，７１ｂ  円環
７２ａ〜７２ｆ  ストッパ
８０，８０Ｂ  支持部材
８１ａ，８１ｂ  円環
８２ａ〜８２ｄ  ストッパ
８３ａ，８３ｂ，８４ｂ  肩掛部
１０１，１０１Ｂ  タオル
１０２  輪ゴム
１０３  ゴム環
１０４  シングル・ピン
Ｈ  毛束
【図１】
2006055618.tif 000003
【図２】
2006055618.tif 000004
【図３】
2006055618.tif 000005
【図４】
2006055618.tif 000006
【図５】
2006055618.tif 000007
【図６】
2006055618.tif 000008
【図７】
2006055618.tif 000009
【図８】
2006055618.tif 000010
【図９】
2006055618.tif 000011
【図１０】
2006055618.tif 000012
【図１１】
2006055618.tif 000013
【図１２】
2006055618.tif 000014
【図１３】
2006055618.tif 000015
【図１４】
2006055618.tif 000016
【図１５】
2006055618.tif 000017
【図１６】
2006055618.tif 000018
【図１７】
2006055618.tif 000019
【図１８】
2006055618.tif 000020
【図１９】
2006055618.tif 000021
【図２０】
2006055618.tif 000022